(57)【要約】【課題】頭皮の上から、測定したい脳波の活動領域にあわせて脳波を測定することが可能な脳波測定方法を提供する。【解決手段】ＭＲＩ撮影ステップ１において、ＭＲＩ４を用いて、脳の構造画像を撮影し、レンダリング表示ステップ２において、撮影された脳の構造画像をセグメンテーションして、脳と頭皮とを三次元にレンダリング表示する。そして、電極配置ステップ３において、前記レンダリング表示に基づいて、測定したい脳波の活動領域にあわせて脳波測定電極を頭皮上に配置する。【選択図】      図１
2004254893.tif 000002
【特許請求の範囲】
【請求項１】
脳波測定方法であって、
ＭＲＩを用いて脳の構造画像を撮影するステップと、
前記撮影した脳の構造画像をセグメンテーションして、脳と頭皮とを三次元にレンダリング表示するステップと、
前記レンダリング表示に基づいて、測定したい脳波の活動領域にあわせて脳波測定電極を頭皮上に配置するステップとを有する
ことを特徴とする脳波測定方法。
【発明の詳細な説明】
【０００１】
【発明の属する技術分野】
本発明は，脳波測定技術に関し、特に、測定したい脳波の活動領域にあわせて脳波測定電極を頭皮上に配置して脳波を測定する方法に関する。
【０００２】
【従来の技術】
脳波は、電極の下にある大脳皮質の多数の神経細胞やシナプシスの電気活動の集積・総和を示すと言われており、脳波検査は、時々刻々に変動する脳機能を直接的かつ動的にとらえる検査法と言える。
【０００３】
脳波検査の対象とされる病状には、意識障害、知能障害一般や、失神、けいれん、行動異常、中枢性運動感覚障害、言語障害その他があり、対象とされる病名には、てんかん、脳腫瘍、頭部外傷、脳血管障害、脳炎、脳性麻痺、偏頭痛、発作性自律神経失調、神経症状をもつ内分泌性または代謝性障害などがある。
【０００４】
多くの疾患では疾患に特異的でない一般的脳波異常の見られることが多いが、てんかん等で得られる脳波は、ほぼ疾患特異的で疾患診断にも役立つ。臨床脳波診断では、個々波の周期、振幅、形や、波の連なり方からみた出現量、連続性、時間的推移、さらには部位差や位相関係などが多面的に観察され、脳障害の性質と程度と広がりや経過の増悪、改善などが総合的に解釈される。
【０００５】
ここで、脳波測定の対象となる脳の各部位と脳機能について簡単に説明する。図６は人間の脳の大脳皮質を示す図である。便宜上脳は前頭葉１１、頭頂葉１２、後頭葉１３、側頭葉１４という４つの部分に分けられる。シルビウス溝１７は、側頭葉１４を他の領域から隔てている。脳の一番頭頂の部分から中心溝１８が出ており、前頭葉１１と頭頂葉１２を分離している。頭頂葉１２と後頭葉１３とは、図示していない角回と呼ばれる部分によって分けられる。
【０００６】
大脳皮質を左横から見ると、真ん中あたりから下に向かって、中心溝１８が走っている。その中心溝１８の前の部分に、前頭葉１１の一部分を占める形で、運動の指令を体の各部へ発信する運動野１５がある。また、中心溝１８の後部には、運動野１５と並ぶように、頭頂葉１２の一部を占め、触覚や痛覚、圧覚などの体性感覚を認識する体性感覚野１６がある。このほか、大脳皮質の後尾の後頭葉１３の一番後ろのところにある視覚野２０、側頭葉１４の一部で、体性感覚野１６の下のほうにある聴覚野がある。また、図中、円で囲まれた２１は運動性言語中枢である。
【０００７】
今日最も広く使用されている脳波測定方法は、カナダのジャスパーらにより提唱され、１９５８年の国際脳波学会で標準化された１０−２０電極配置法（ｔｅｎ−ｔｗｅｎｔｙ  ｅｌｅｃｔｒｏｄｅ−ｓｙｓｔｅｍ）である。
【０００８】
図７に示す１０−２０電極配置法では、まず、鼻根（ＮＡＳＩＯＮ）と後頭極（ＩＮＩＯＮ）を結ぶ矢状中央線をひき、その中点を頭頂（ｖｅｔｅｘ）として１０等分する。また、鼻根、左右の耳介前点、後頭極を通る頭蓋の周線を考え、それぞれ両側の周線を１０等分する。続いて、頭頂を中心とし、半径が矢状中央線の１／１０ずつ小さくなる同心円を４個描き、各個の頭蓋周線を１０等分した各点と中心を結ぶ線分をひくと、図７に示すような座標ができあがる。
【０００９】
この座標の上に、Ｆｐ１  ，Ｆｐ２  ，Ｆ７  ，Ｆ８  ，Ｔ３  ，Ｔ４  ，Ｔ５  ，Ｔ６  ，Ｏ１  ，Ｏ２  ，Ｆｚ  ，Ｃｚ  ，Ｐｚ  をとる。また、Ｆｚ  とＦ７  ，Ｆ８  の中点、Ｃｚ  とＴ３  、Ｔ４  の中点、およびＰｚ  とＴ５  、Ｔ６  の中点にそれぞれＦ３  とＦ４  ，Ｃ３  とＣ４  およびＰ３  とＰ４  をとる。両側耳朶に各１個の電極Ａ１  ，Ａ２  をつける。これが１０−２０電極配置法と言われている方法である。
【００１０】
かかる従来の脳波測定方法である１０−２０電極配置法は、例えば以下の非特許文献１に記載されている。
【００１１】
【非特許文献１】
生理心理学の基礎、１９９８年５月、藤澤  清  他２名、北大路書房、ｐ．９３
【００１２】
【発明が解決しようとする課題】
上記従来技術である１０−２０電極配置法は、人間の頭皮上に均等に電極を配置するものである。しかし，人間の頭皮の下の脳は、実際には歪んでおり、図８に示すように、非対照であることが多い。図８では、左右半球を分ける溝である大脳縦裂２２が左に傾いている人間の脳の様子がわかる。
【００１３】
このように、人間の脳が左右非対照であるにもかかわらず、従来技術である１０−２０電極配置法を用い、脳波測定電極を頭皮に対して均等な位置に配置して脳波を測定すると、測定したい脳波の活動領域にあわせた形で脳波が測定されないという問題が生じる。
【００１４】
また、脳の形状は個人差があり、脳波の活動領域の位置が全く違っている場合も多いため、１０−２０電極配置法に基づいて貼られた電極の真下にある脳の部位の脳波を複数人間で比較しても比較の意味を失うこととなるおそれがある。
【００１５】
例えば、頭皮上における電極配置を示す図９では、測定したい脳波の活動領域が、大脳縦裂２２の左側の位置の位置Ａである場合に、従来技術を用いると、大脳縦裂２２から右にずれた位置Ｂに電極が配置されてしまい、実際には測定したい脳波の活動領域の脳波を測定していないこととなるおそれがある。
【００１６】
本発明は、上記従来技術の問題点を解決し、頭皮の上から、測定したい脳波の活動領域にあわせて脳波を測定することが可能な脳波測定方法を提供することを目的とする。
【００１７】
【課題を解決するための手段】
上記課題を解決するため，本発明は，脳波測定方法であって、ＭＲＩを用いて脳の構造画像を撮影するステップと、前記撮影した脳の構造画像をセグメンテーションして、脳と頭皮とを三次元にレンダリング表示するステップと、前記レンダリング表示に基づいて、測定したい脳波の活動領域にあわせて脳波測定電極を頭皮上に配置するステップとを有するように構成する。
【００１８】
本発明を用いることにより、頭皮の上から脳波の活動領域にあわせて脳波を測定することが可能となる。
【００１９】
【発明の実施の形態】
以下に、図を用いて、本発明の実施の形態を説明する。図１は、本発明の脳波測定方法の概要を示す図である。１は、ＭＲＩ（核磁気共鳴映像法）を用いて脳の構造画像を撮影するＭＲＩ撮影ステップ、２は、撮影した脳の構造画像をセグメンテーションして、脳と頭皮とを三次元にレンダリング表示するレンダリング表示ステップ、３は、前記レンダリング表示に基づいて、測定したい脳波の活動領域にあわせて脳波測定電極を頭皮上に配置する電極配置ステップである。また、４はＭＲＩ、５はレンダリングシステムである。レンダリング表示ステップ２は、汎用のレンダリングシステム５を用いて行う。
【００２０】
次に、図３乃至図５を参照しつつ、図２に基づいて、本発明の実施の形態における脳波測定方法を説明する。図２は、本発明の実施の形態における脳波測定処理フローを示す図である。まず、ＭＲＩ４を用いて脳の構造画像を撮影する（ステップＳ１）。ＭＲＩ４を用いた撮影を行うことにより、例えば図３（Ａ）および図３（Ｂ）に示すような脳の構造画像が取得される。
【００２１】
次に、取得した脳の構造画像をセグメンテーションして、脳と頭皮とを三次元にレンダリング表示する（ステップＳ２）。かかるレンダリング表示の一例が図４に示される。
【００２２】
かかるレンダリング表示をすることにより、頭の内部にある脳の主要な溝の位置が頭の外側からわかるので、測定したい脳波の活動領域の位置を把握することができる。例えば、運動性言語中枢２１の脳波を測定したい場合、ステップＳ２の処理によって、人間の脳の大脳皮質を示す図５におけるシルビウス溝１７の位置が把握できるので、運動性言語中枢２１の脳波の活動領域は、例えば図５の位置ａの周辺であることがわかる。
【００２３】
最後に、レンダリング表示に基づいて、測定したい脳波の活動領域にあわせて脳波測定電極を頭皮上に配置する（ステップＳ３）。例えば、図５に示すように、１０−２０電極配置法による電極配置位置である位置ｂから測定したい運動性言語中枢２１の脳波が活動する領域である位置ａに電極をずらす。このように、電極をずらすことにより、運動性言語中枢２１の脳波が測定できる。
【００２４】
【発明の効果】
本発明によれば、脳波の活動領域にあわせて脳波測定電極を頭皮上に配置して脳波を測定することが可能となる。
【図面の簡単な説明】
【図１】脳波測定方法の概要を示す図である。
【図２】脳波測定処理フローを示す図である。
【図３】脳の構造画像の一例を示す図である。
【図４】脳と頭皮とを三次元にレンダリング表示した図である。
【図５】電極配置を示す図である。
【図６】人間の脳の大脳皮質を示す図である
【図７】１０−２０電極配置法を示す図である。
【図８】人間の脳を示す図である。
【図９】電極配置を示す図である。
【符号の説明】
１  ＭＲＩ撮影ステップ
２  レンダリング表示ステップ
３  電極配置ステップ
４  ＭＲＩ
５  レンダリングシステム
１１  前頭葉
１２  頭頂葉
１３  後頭葉
１４  側頭葉
１５  運動野
１６  体性感覚野
１７  シルビウス溝
１８  中心溝
１９  聴覚野
２０  視覚野
２１  運動性言語中枢
２２  大脳縦裂
【図１】
2004254893.tif 000003
【図２】
2004254893.tif 000004
【図３】
2004254893.tif 000005
【図４】
2004254893.tif 000006
【図５】
2004254893.tif 000007
【図６】
2004254893.tif 000008
【図７】
2004254893.tif 000009
【図８】
2004254893.tif 000010
【図９】
2004254893.tif 000011